(57)【要約】【課題】劣悪な環境下であっても望ましい品質の植物を、より多く収量することができる植物栽培装置を提供する。【解決手段】構造物１０１内に設置される植物栽培装置１００であり、外郭構成部材１０２と、室内空調手段１１３と、植物栽培ライン１を有している。外郭構成部材１０２は断熱材で覆われていて内部に機器設置室１１０があり、室内空調手段１１３によって機器設置室１１０内を空調可能である。植物栽培ライン１は、育成空間構成部材と、育成空間空調手段２２と、水耕栽培手段を有し、育成空間構成部材は、内部に植物を育成する育成空間（筒状空間２）がある。育成空間内に水耕栽培手段５が設置されており、育成空間空調手段２２によって育成空間内を空調可能である。【選択図】図２
2019010077.tif 000002
【特許請求の範囲】
【請求項１】
構造物内に設置される植物栽培装置において、
外郭構成部材と、室内空調手段と、植物栽培ラインを有し、
外郭構成部材は壁で覆われていて内部に機器設置室があり、室内空調手段によって機器設置室内を空調可能であり、
前記植物栽培ラインは、育成空間構成部材と、育成空間空調手段と、水耕栽培手段を有し、
育成空間構成部材は、内部に植物を育成する育成空間があり、当該育成空間内に水耕栽培手段が設置されており、育成空間空調手段によって育成空間内を空調可能であることを特徴とする植物栽培装置。
【請求項２】
構造物内に設置される植物栽培装置において、
外郭構成部材と、室内空調手段と、植物栽培ラインを有し、
外郭構成部材は壁で覆われていて内部に機器設置室があり、
前記植物栽培ラインは、育成空間構成部材と、水耕栽培手段を有し、
育成空間構成部材は、内部に植物を育成する育成空間があり、当該育成空間内に水耕栽培手段が設置されており、
機器設置室内を空調する室内空調手段と、育成空間内を空調する育成空間空調手段の内の少なくともいずれか一つの空調手段を備えていることを特徴とする植物栽培装置。
【請求項３】
育成空間は筒状であり、内部の植物に光を照射する照明手段が設置されていることを特徴とする請求項１又は２に記載の植物栽培装置。
【請求項４】
植物栽培ラインが複数列に設置されており、隣接する植物栽培ラインの間にスペース空間があり、当該スペース空間の上部に室内空調手段の空気吐出口があることを特徴とする請求項１乃至３のいずれかに記載の植物栽培装置。
【請求項５】
外郭構成部材は骨格形成部材と、断熱パネルを有し、骨格形成部材に断熱パネルが取り付けられており、断熱パネルの一部又は全部が骨格形成部材から着脱可能であることを特徴とする請求項１乃至４のいずれかに記載の植物栽培装置。
【請求項６】
植物栽培ラインが１段又は多段に設置され、前記水耕栽培手段は、養液槽と複数の植物保持具を有し、養液槽内には培養液があり、植物保持具で植物を保持し、養液槽に植物保持具を設置して養液槽内の培養液に植物の根を浸して植物を育成するものであることを特徴とする請求項１乃至５のいずれかに記載の植物栽培装置。
【請求項７】
植物栽培ラインが１段又は多段に設置され、前記水耕栽培手段は、植物の苗又は種が植えられた複数の養液槽と、養液槽を上流側から下流側に向かって順次移動させる搬送手段を有し、養液槽上で植物を成長させつつ搬送手段で養液槽を下流側に移動させるものであることを特徴とする請求項１乃至６のいずれかに記載の植物栽培装置。
【請求項８】
植物栽培ラインは複数の育苗ユニットを有し、前記育苗ユニットは両端が開放され周面を覆うことが可能なケースを有し、
複数の育苗ユニットのケースが連結されて前記筒状空間が形成され、
前記養液槽は、前記ケースで形成される一連の筒状空間に置かれ、前記養液槽は搬送手段によってケースを跨いで下流側に移動することを特徴とする請求項１乃至７のいずれかに記載の植物栽培装置。
【請求項９】
請求項１乃至８のいずれかに記載の植物栽培装置を使用して植物を栽培することを特徴とする植物栽培方法。
【請求項１０】
構造物と、構造物内に設置される植物栽培装置によって構成される植物栽培システムにおいて、
前記植物栽培装置は、外郭構成部材と、植物栽培ラインを有し、
外郭構成部材は壁で覆われていて内部に機器設置室があり、
前記植物栽培ラインは、育成空間構成部材と、水耕栽培手段を有し、
育成空間構成部材は、内部に植物を育成する育成空間があり、当該育成空間内に水耕栽培手段が設置されており、
構造物内を空調する構造物内空調手段と、機器設置室内を空調する室内空調手段と、育成空間内を空調する育成空間空調手段の内の少なくともいずれか二つの空調手段を備えていることを特徴とする植物栽培システム。
【請求項１１】
請求項１０に記載の植物栽培システムを使用して植物を栽培することを特徴とする植物栽培方法。
【発明の詳細な説明】
【技術分野】
【０００１】
本発明は、農作物等の植物を栽培する植物栽培装置及び植物栽培方法に関するものである。また本発明は、構造物と植物栽培装置が組み合わされた植物栽培システム及び植物栽培方法に関するものである。
【背景技術】
【０００２】
工場跡等の地上構造物やトンネル等の地下構造物内で、農作物を連続的に栽培する植物栽培装置が知られている。植物栽培装置は、作物工場や植物工場と通称される栽培形態に使用されるものである。即ち植物栽培装置は、人工照明を使用して植物に適度の日照を与えると共に、建屋内や室内の全体を生育に適した温度や湿度に保って植物を育成する装置である。
【０００３】
旧来の植物栽培装置は、建屋内や部屋内の全体の環境を、対象となる植物の生育に適した温度や湿度に保つものであり、環境を維持するために多くの熱や冷熱が必要であり、エネルギーコストが高いという不満があった。
さらに旧来の植物栽培装置は、建屋全体や部屋全体の環境が対象となる植物の生育に適した温度や湿度に保たれるので、育成条件の異なる植物を混栽することが困難であった。
さらに旧来の植物栽培装置では、建屋内や部屋内に有害昆虫等が侵入することは禁忌であり、建屋等の出入口や換気窓等には厳重な害虫侵入防止措置が取られる。万一、有害昆虫等が侵入すると、この駆除は誠に困難である。即ち植物栽培装置では、原則として農薬を使用しない。そのため、数日間に渡って作物の栽培を停止しなければならない場合があった。
【０００４】
これらの問題を解決する方策として、本出願人は、複数のケースを組み合わせて筒状空間を作り、筒状空間内で植物を栽培する植物栽培装置を発明した（特許文献１）。
特許文献１に開示した植物栽培装置は、栽培空間が筒状空間内に限定されるため、空調機器が小型のもので足り、環境を維持するためのエネルギーコストが低い。
また特許文献１に開示した植物栽培装置によると、一つの建屋内に植物栽培装置を複数設置することができる。さらに栽培空間たる筒状空間は、植物栽培装置ごとに独立しているから、植物栽培装置ごとに内部の温度や湿度を変えることができ、育成条件の異なる植物を同一の建屋内で混栽することができる。
特許文献１に開示した植物栽培装置は、駆除対象となる空間が小さい上、害虫の成虫や幼虫、卵等がひそみ難いので、害虫が侵入した場合の駆除も容易である。
【先行技術文献】
【特許文献】
【０００５】
【特許文献１】ＷＯ  ２０１６／１２９６７４／Ａ１号公報
【特許文献２】ＷＯ  ２０１７／０４７１８６／Ａ１号公報
【特許文献３】特開平２−６０５２９号公報
【特許文献４】特開２００１−７８５７７号公報
【発明の概要】
【発明が解決しようとする課題】
【０００６】
本出願人らは特許文献１に開示した植物栽培装置を自己が所有する建屋内で試作し、実際に植物を栽培したところ、良好な栽培成績を得ることができた。
続いて植物栽培装置を、工場跡や地下室等の実際の構造物内に設置し、実証実験を重ねた。この場合も、概ね良好な栽培成績を得ることができた。
しかしながら、植物栽培装置を設置する構造物には、内部環境が当初の予想を越える劣悪な物件があった。
特許文献１に開示した植物栽培装置を、はなはだしく劣悪な環境の構造物に設置すると、筒状空間内を所望の環境に維持することができず、望ましい収量を得ることが困難であった。
【０００７】
また工場跡や地下構造物内に既存の空調機器があり、ある程度の環境は確保されてはいるものの、良好な環境とは言いがたい場合があり、特許文献１に開示した植物栽培装置をそのまま設置すると、筒状空間内を理想的な環境に維持することができない場合もある。
【０００８】
本発明は、従来技術の上記した問題点に注目し、劣悪な環境下であっても望ましい品質の植物を、より多く収量することができる植物栽培システム、植物栽培装置及び植物栽培方法を提供することを課題とする。
【課題を解決するための手段】
【０００９】
上記した課題を解決するための態様は、構造物内に設置される植物栽培装置において、外郭構成部材と、室内空調手段と、植物栽培ラインを有し、外郭構成部材は壁で覆われていて内部に機器設置室があり、室内空調手段によって機器設置室内を空調可能であり、前記植物栽培ラインは、育成空間構成部材と、育成空間空調手段と、水耕栽培手段を有し、育成空間構成部材は、内部に植物を育成する育成空間があり、当該育成空間内に水耕栽培手段が設置されており、育成空間空調手段によって育成空間内を空調可能であることを特徴とする植物栽培装置である。
【００１０】
壁は断熱性を有するものであることが望ましい。
本態様の植物栽培装置では、育成空間が外部（構造物の室内等）から二重に隔離されており、育成空間は二重に空調されている。
即ち育成空間は育成空間構成部材によって仕切られた空間であり、さらに育成空間構成部材は壁で覆われた機器設置室に設置されている。そして機器設置室は室内空調手段によって空調され、さらに育成空間は育成空間空調手段によって空調される。そして本態様の植物栽培装置では、水耕栽培手段の育成空間内で植物が育成される。
本態様の植物栽培装置は、設置される構造物内の環境が劣悪であったとしても、機器設置室は壁で覆われているから、構造物内の環境（植物栽培装置外の環境）とは遮断されている。
例えば、構造物内の温度が、時刻や季節によって著しく変化するものであっても、機器設置室の環境変化は小さい。
また機器設置室は室内空調手段によって空調されるので、機器設置室の環境は、一般的な構造物内のレベルには調整可能である。
即ち機器設置室内は、個々の植物に対して最適な温度や湿度ではないにしても、通常の構造物内の環境レベルにまで調整することはできる。
そして実際に植物を育成させる育成空間は、さらに育成空間空調手段によって空調されるので、個々の植物に対して最適な温度や湿度を維持することができる。従って、植物栽培装置が劣悪な環境の構造物内に設置された場合であっても、実際に植物を育成する育成空間は、栽培される植物に対して好適な環境が維持され、植物は良好に育つ。
【００１１】
同様の課題を解決するためのもう一つの態様は、構造物内に設置される植物栽培装置において、外郭構成部材と、室内空調手段と、植物栽培ラインを有し、外郭構成部材は壁で覆われていて内部に機器設置室があり、前記植物栽培ラインは、育成空間構成部材と、水耕栽培手段を有し、育成空間構成部材は、内部に植物を育成する育成空間があり、当該育成空間内に水耕栽培手段が設置されており、機器設置室内を空調する室内空調手段と、育成空間内を空調する育成空間空調手段の内の少なくともいずれか一つの空調手段を備えていることを特徴とする植物栽培装置である。
【００１２】
本態様の植物栽培装置は、例えば工場跡や地下構造物内に既存の空調機器があり、ある程度の環境は確保されている場所に設置する植物栽培装置として好適なものである。
【００１３】
育成空間は筒状であり、内部の植物に光を照射する照明手段が設置されていることが望ましい。
【００１４】
本態様によると、環境調整は一連の筒状空間内だけで足るので、調整対象の空間が小さく、環境調整に要するエネルギーが少なくて足る。
本態様の植物栽培装置は、害虫が侵入した場合の駆除についても容易である。即ち本態様によると、駆除対象となる空間が小さい上、害虫の成虫や幼虫、卵等がひそみ難いので、害虫が侵入した場合の駆除も容易である。
【００１５】
上記した各態様において、植物栽培ラインが複数列に設置されており、隣接する植物栽培ラインの間にスペース空間があり、当該スペース空間の上部に室内空調手段の空気吐出口があることが望ましい。
【００１６】
本態様によると、機器設置室内の環境を均質化しやすい。
【００１７】
上記した各態様において、外郭構成部材は骨格形成部材と、断熱パネルを有し、骨格形成部材に断熱パネルが取り付けられており、断熱パネルの一部又は全部が骨格形成部材から着脱可能であることが望ましい。
【００１８】
本態様の植物栽培装置は、設置される構造物内の環境が劣悪であったとしても、機器設置室は断熱パネルで構成された断熱壁で覆われているから、構造物内の環境（植物栽培装置外の環境）とは遮断されている。
また本態様によると、植物栽培装置のメンテナンスが容易である。
【００１９】
上記した各態様において、植物栽培ラインが１段又は多段に設置され、前記水耕栽培手段は、養液槽と複数の植物保持具を有し、養液槽内には培養液があり、植物保持具で植物を保持し、養液槽に植物保持具を設置して養液槽内の培養液に植物の根を浸して植物を育成するものであってもよい。
【００２０】
上記した各態様において、植物栽培ラインが１段又は多段に設置され、前記水耕栽培手段は、植物の苗又は種が植えられた複数の養液槽と、養液槽を上流側から下流側に向かって順次移動させる搬送手段を有し、養液槽上で植物を成長させつつ搬送手段で養液槽を下流側に移動させるものであってもよい。
【００２１】
上記した各態様において、植物栽培ラインは複数の育苗ユニットを有し、前記育苗ユニットは両端が開放され周面を覆うことが可能なケースを有し、複数の育苗ユニットのケースが連結されて前記筒状空間が形成され、前記養液槽は、前記ケースで形成される一連の筒状空間に置かれ、前記養液槽は搬送手段によってケースを跨いで下流側に移動するものであってもよい。
【００２２】
本態様の植物栽培装置は、複数の育苗ユニットによって構成され、育苗ユニットをつなぎ合わせることによって栽培空間となる筒状空間が形成される。また養液槽は搬送手段によってケースを跨いで下流側に移動する。
ここで各育苗ユニットは、製造工場で製作することができる。
本態様では、各育苗ユニットは、製造工場で製作することを想定している。そして製造工場で製作された育苗ユニットを施工現場に搬入して連結し、植物栽培装置を完成させる。
本態様によると、施工現場における作業が大幅に低減される。そのため本態様の植物栽培装置は、設置工事が簡単である。
また育苗ユニットを取り外して修理を行えば、修理工事が大がかりなものとならない。
さらに連結する育苗ユニットの数を変えることによって装置の全長や育成期間の変更を行うことができる。
【００２３】
上記した植物栽培装置を使用して植物を栽培することが推奨される。
【００２４】
上記した課題を解決するためのもう一つの態様は、構造物と、構造物内に設置される植物栽培装置によって構成される植物栽培システムにおいて、前記植物栽培装置は、外郭構成部材と、植物栽培ラインを有し、外郭構成部材は壁で覆われていて内部に機器設置室があり、前記植物栽培ラインは、育成空間構成部材と、水耕栽培手段を有し、育成空間構成部材は、内部に植物を育成する育成空間があり、当該育成空間内に水耕栽培手段が設置されており、構造物内を空調する構造物内空調手段と、機器設置室内を空調する室内空調手段と、育成空間内を空調する育成空間空調手段の内の少なくともいずれか二つの空調手段を備えていることを特徴とする植物栽培システムである。
【００２５】
上記した植物栽培システムを利用して植物を栽培することが推奨される。
【発明の効果】
【００２６】
本発明の植物栽培装置及び植物栽培方法によると、植物栽培装置が設置される構造物内の環境が劣悪であっても、望ましい品質の植物を、より多く収量することができる。
【図面の簡単な説明】
【００２７】
【図１】本発明の実施形態の植物栽培装置を含む植物栽培システムの全景を表す斜視図である。
【図２】図１の植物栽培装置を含む植物栽培システムの断面図である。
【図３】図１の植物栽培装置の外郭構成部材の分解斜視図である。
【図４】図１の植物栽培装置の内部構造を示す斜視図である。
【図５】図１の植物栽培装置の外郭構成部材に内蔵される植物栽培ラインの斜視図である。
【図６】図５の植物栽培ラインの内部構造を示す正面図である。
【図７】図５の植物栽培ラインの内部構造を示す斜視図である。
【図８】図５の植物栽培装置の養液槽と植物保持具を分離した状態の斜視図である。
【図９】図５の植物栽培装置の養液槽に植物保持具を浮かべた状態の斜視図である。
【図１０】（ａ）は本発明の他の実施形態で採用する植物栽培ラインの斜視図であり、（ｂ）は植物栽培ラインをユニットごとに分離した状態を示す斜視図である。
【図１１】図１０の植物栽培ラインを構成する育苗ユニットの内部構造を示す正面断面図である。
【図１２】図１０の育苗ユニットの内部構造を端部側から観察した斜視図である。
【図１３】図１０の育苗ユニットを上部側から透かして観察した内部構造を示す斜視図である。
【図１４】図１０の植物栽培ラインで採用される栽培トレイの分解斜視図である。
【図１５】（ａ）乃至（ｄ）は、図１０の育苗ユニットに内蔵されている搬送手段によって栽培トレイを移動させる際の動作を示す説明図である。
【図１６】本発明の他の実施形態の植物栽培装置を含む植物栽培システムの全景を表す斜視図である。
【図１７】図１６の植物栽培装置を含む植物栽培システムの断面図である。
【図１８】本発明のさらに他の実施形態の植物栽培装置を含む植物栽培システムの断面図である。
【発明を実施するための形態】
【００２８】
以下さらに本発明の実施形態について説明する。
本実施形態の植物栽培システム２００は、図１、図２の様に、既設の構造物１０１と、構造物１０１内に設置される植物栽培装置１００の組み合わせによって構成されている。
構造物１０１は、工場跡等の地上構造物やトンネル等の地下構造物である。構造物１０１自体には空調設備はない。
本実施形態の植物栽培装置１００は、図１、図２の様に、工場跡等の地上構造物やトンネル等の地下構造物等の既設の構造物１０１内に設置されるものである。
植物栽培装置１００は、図２の様に大きく分けて外郭構成部材１０２と、複数の植物栽培ライン１によって構成されている。
外郭構成部材１０２は、図３の様に鋼材や木材で作られた枠状の骨格形成部材１０３と、複数の断熱パネル１０５を有し、骨格形成部材１０３に断熱パネル１０５がはめ込まれて取り付けられたものである。
断熱パネル１０５の幾つかは骨格形成部材１０３にネジ止めされているが、幾つかの断熱パネル１０５は単に骨格形成部材１０３にはめ込まれただけであり、容易に取り外すことができる。
【００２９】
図２の様に外郭構成部材１０２は、断熱パネル１０５によって構成される断熱壁によって床面を除く５面が覆われており、内部に機器設置室１１０が構成されている。機器設置室１１０は外部とは遮蔽されている。即ち機器設置室１１０は、略密閉された外側空間である。
図１の様に外郭構成部材１０２の一面には扉１１１があり、作業者は当該扉１１１から機器設置室１１０内へ出入りすることができる。
【００３０】
本実施形態の植物栽培システム２００では、機器設置室１１０を空調する室内空調手段１１３が設けられている。室内空調手段１１３は、公知のヒートポンプ式エアコンデショナーであり、室内機１１５と、図示しない室外機を有している。
室内機１１５は、公知の様に室内の空気を取り込んで温度を調節し、空気吐出口１１８（図２）から温度調節された空気を吐出するものである。
【００３１】
本実施形態では、室内機１１５は、図１、図２の様に外郭構成部材１０２の天井部１１７の中心近傍に取り付けられている。室内機１１５の本体部分は外郭構成部材１０２の天井部１１７にあり、空気取り入れ口と空気吐出口１１８が機器設置室１１０の天井部に開いている。
後記する様に、植物栽培ライン１は、機器設置室１１０において２列に設置されるので、室内機１１５の空気吐出口１１８は、隣接する植物栽培ライン１の間のスペース空間２６の上部に開いている。
【００３２】
本実施形態の植物栽培システム２００は、既設の構造物１０１内を空調する機器を持たないが、機器設置室１１０が断熱壁で覆われた略密閉空間であり、且つ機器設置室１１０を空調する室内空調手段１１３が設けられているので、機器設置室１１０の温度を所定の範囲に維持することができる。即ち植物栽培ライン１の外側空間の温度を所定の範囲に維持することができる。
機器設置室１１０の温度設定は、厳格なものではなく、通常の建屋内の温度範囲に収まっていれば足る。
【００３３】
植物栽培ライン１は、後記する様に植物の育成空間となる筒状空間２を有している。筒状空間２は、略密閉された空間である。
本実施形態では、筒状空間２内に水耕栽培手段５が設置されている。水耕栽培手段５は、一つの細長い養液槽３と複数の植物保持具３０を有し、養液槽３内には培養液があり、植物保持具３０で植物を保持し、養液槽に植物保持具３０を設置して養液槽内の培養液に植物の根を浸して植物を育成するものである。
【００３４】
本実施形態では、育成空間たる筒状空間２内の温度等を調節する育成空間空調手段２２を有している。
そのため、育成空間空調手段２２によって筒状空間２内が植物の育成に適した環境に保たれる。
また前記した様に機器設置室１１０が室内空調手段１１３によってある程度の温度範囲に維持されているから、植物栽培装置１００が設置されている構造物１０１内の気温や湿度が極端に高かったり低かったりした場合であっても、筒状空間２の外部の温度は一定の範囲内に収まり、且つ筒状空間２の内部が別途の育成空間空調手段２２によって空調されているから、筒状空間２内の温度には大きな変化は生じない。
即ち筒状空間２は、外郭構成部材１０２の断熱壁と、筒状空間２の壁によって二重に隔離された空間であるから、筒状空間２内の温度は植物栽培装置１００が設置されている構造物１０１内の環境の影響を受けにくく植物の育成に適した環境に保たれる。
【００３５】
次に、植物栽培ライン１について説明する。
植物栽培ライン１は、図４、図５、図６の様に一連の筒状空間２を有し、この筒状空間２の中に水耕栽培手段５が内蔵されていて植物を栽培するものである。本実施形態では、水耕栽培手段５は、養液槽３と複数の植物保持具３０によって構成されている。
【００３６】
また本発明の実施形態の植物栽培装置１００では、図２、図４の様に機器設置室１１０の中に植物栽培ライン１が複数、立体的に配置されている。本実施形態では外郭構成部材１０２の中に支持枠２０があり、当該支持枠２０に植物栽培ライン１が複数固定されている。
即ち植物栽培装置１００では、図２、図４の様に外郭構成部材１０２で囲まれた機器設置室１１０内に植物栽培ライン１が複数段且つ複数列に渡って設置されている。
具体的には、６個の植物栽培ライン１が、３段、２列に分かれて外郭構成部材１０２内に設置されている。本実施形態では、植物栽培ライン１は２列に配置されており、隣接する植物栽培ライン１の間にスペース空間２６がある。スペース空間２６は、作業者の歩行通路として機能する。
【００３７】
各植物栽培ライン１には、図２、図４の様に共通の育成空間空調手段２２があり、各筒状空間２内が育成空間空調手段２２によって空調される。
育成空間空調手段２２は、公知の空調装置であり、各筒状空間２を含む循環経路を有し、各筒状空間２内の環境を植物の育成に適した温度や湿度に保つことができる。
【００３８】
植物栽培ライン１は、図５、図６、図７の様に溝状の養液槽３と、側面部材７ａ，７ｂ、屋根部材６を有している。本実施形態では、養液槽３と、側面部材７ａ，７ｂ、屋根部材６の三者が育成空間構成部材として機能し、これらに囲まれて筒状空間２が形成されている。
屋根部材６の内面にＬＥＤ等の照明手段２７が設けられている。
養液槽３は培養液で満たされ、筒状空間２内に養液槽の液面があり、植物保持具３０が複数浮かべられている。さらに植物栽培ライン１は、送風路形成部材６５を備えている。
【００３９】
養液槽３は、溝状の水槽であり、底１３と、長手の側面１０ａ，１０ｂと、短手の側面１１ａ，１１ｂが壁で覆われており、上面が開放されている。
養液槽３は細長く、深さは浅い。養液槽３の内面は、防水処理が施されていて内部に水（培養液）を溜めることができる。
【００４０】
養液槽３の長手方向の一端近傍には、排水口８が設けられている。また養液槽３の長手方向の他端近傍には、培養液供給口３５が設けられている。
排水口８は、具体的にはオーバーフロー管７であり、開口部（排水口８）は、養液槽３の底１３から一定の高さの位置にある。
【００４１】
本実施形態では、前記した様に養液槽３と、側面部材７ａ，７ｂ及び屋根部材６が育成空間構成部材であり、これらによってトンネル状の筒状空間２が形成されている。
本実施形態では、屋根部材６は支持枠２０に支持されている。
支持枠２０は、図７の様に柱２１が２列に渡って設けられたものであり、各列の柱２１に図示しない桟が渡されている。
側面部材７ａ，７ｂは、実質的に屋根部材６と養液槽３の間の隙間を封鎖している。
【００４２】
側面部材７ａ，７ｂは、有色の樹脂または金属で作られており、不透明である。
側面部材７ａ，７ｂの内面は、光の反射性が高い。本実施形態では、側面部材７ａ，７ｂの内面にアルミシート等の反射性シートが設けられている。側面部材７ａ，７ｂは断熱性を有している。具体的には、側面部材７ａ，７ｂは、断面形状がダンボール状の樹脂板にアルミシートが貼りつけられたものであり、光の反射性が高く、且つ断熱性能も高い。反射性シートに代わって、反射性の塗料が塗布されていてもよい。
また屋根部材６の内面には反射板（図示せず）が取り付けられている。
【００４３】
屋根部材６は円弧形状であり、支持枠２０に支持されている。
屋根部材６はステンレススチール等の錆びにくく、且つ熱伝導性に優れた素材で作られている。
図６の様に屋根部材６の外周面は、保湿部材２４０で覆われている。保湿部材２４０は、不織布等の布やマット等であり、屋根部材６の外周面に水の層を薄く形成されるものである。
【００４４】
屋根部材６の峰の部分には管３６が設けられている。管３６には小孔が複数設けられている。屋根部材６の軒の部分には冷却水回収用樋４２が形成されている。本実施形態においては、屋根部材６の峰の部分には管３６が設けられており、管３６から放水して屋根部材６を冷却することができる。特に本実施形態では、屋根部材６の外周面に保湿部材２４０が設けられているから、屋根部材６は常時湿った状態となり、気化熱を奪って屋根部材６を冷却する。
【００４５】
また本実施形態では、前記した様に、屋根部材６を構成する金属板に、照明手段２７が取り付けられている。従って照明手段２７が発生する熱は、直接的に屋根部材６を構成する金属板に伝熱され、外部に放熱される。
【００４６】
本実施形態の植物栽培ライン１では、図６、図７の様に筒状空間２内に送風路形成部材６５が内蔵されている。送風路形成部材６５は、樹脂で作られた本管８０を有し、多数の開口８４が設けられている。
送風路形成部材６５は、図示しない往き側ダクトによって育成空間空調手段２２に接続されている。そのため育成空間空調手段２２で温度等が調節された空気が、送風路形成部材６５を経由して筒状空間２内の各部に吹き込まれる。なお筒状空間２には図示しない戻り側ダクトが接続されており、筒状空間２の空気が育成空間空調手段２２に戻されて循環する。
【００４７】
次に培養液の循環路について説明する。
本実施形態の植物栽培ライン１では、図１、図２、図４の様に外郭構成部材１０２の外側に培養液供給装置２０６がある。培養液供給装置２０６は図７の様に培養液タンク２０７とポンプ２０８を備えている。ポンプ２０８を起動すると、培養液タンク２０７内の培養液がポンプ２０８で加圧されて培養液供給口３５に送られ、養液槽３に供給される。また培養液はオーバーフロー管７によって構成される排水口８から排水されて培養液タンク２０７に戻る。こうして培養液は、養液槽３と培養液タンク２０７の間を循環する。
【００４８】
植物保持具３０は、比重の軽い素材で作られた板であり、複数の開口３１が設けられている。開口３１には植物の苗が保持される。植物保持具３０は、浮力が強く、単体で水に浮くばかりでなく、植物を保持した状態であっても沈まない。
植物保持具３０は、開口３１に植物が保持された状態で、養液槽３の培養液に浮かされる。
【００４９】
本実施形態では、図５に示すように屋根部材６の高さは全体として勾配が付けられており、植物保持具３０の流れ方向を基準として、上流側は屋根部材６の高さが低く、下流側は屋根部材６の高さが高い。
【００５０】
本実施形態では、養液槽３に植物保持具３０が複数浮かべられ、植物保持具３０は外力によって一定の方向に進められる。即ち養液槽３の水面を覆うように植物保持具３０が敷きつめられ、植物保持具３０が養液槽３の水面に浮かされている。そのため人力によって、養液槽３上の植物保持具３０を押すと、植物保持具３０は容易に移動する。即ち植物保持具３０は、筏のごとく養液槽３の水面に浮いており、上流側にある植物保持具３０を押すと、植物保持具３０は下流側に流れてゆく。また下流側に流れた植物保持具３０は、隣接する植物保持具３０を押し、当該植物保持具３０も下流側に流れる。結果的に、養液槽３に浮かべられた全ての植物保持具３０が下流側に流れてゆく。
【００５１】
次に、本実施形態の植物栽培ライン１の機能について説明する。
本実施形態の植物栽培ライン１では、養液槽３に培養液が満たされる。そのため筒状空間２内に養液槽３の液面があり、液面は筒状空間２で覆われている。そして植物保持具３０の開口３１に植物の苗を保持させ、養液槽３の上流側に浮かべられる。
また照明手段２７によって苗の成長に要する光が供給される。本実施形態では、筒状空間２の内面で光が反射するから、筒状空間２の内壁に当たった光も反射して苗に当たる。
【００５２】
さらに図２、図４に示す育成空間空調手段２２によって、筒状空間２内の温度、湿度及び二酸化炭素濃度が調節される。
前記した様に筒状空間２の外部たる機器設置室１１０は、外部（構造物１０１内）から遮蔽されており、且つ機器設置室１１０は室内空調手段１１３によって空調されているから、筒状空間２の外部環境（機器設置室１１０内の環境）は、ある程度安定している。そのため筒状空間２は、植物栽培装置１００が設置された位置の周囲環境（構造物１０１内の環境）の影響を受けにくい。
さらに筒状空間２内は育成空間空調手段２２によって空調されているから、筒状空間２内は、植物の成長に適した温度や湿度に保たれる。
【００５３】
筒状空間２内の養液槽３に浮かべられた植物保持具３０は、一定時間ごとに下流側に移動させられる。例えば２４時間ごとに、植物保持具３０が人力で押され、植物保持具３０が下流側に流される。
【００５４】
植物栽培ライン１では、１０日から３０日程度の日数をかけて植物保持具３０を始端から終端に送る。ここで、時間の経過と共に植物保持具３０に保持された苗が成長するが、本実施形態では、下流側に向かう程、屋根部材６の高さが高くなっている。そのため苗の成長を妨げず、且つ苗に対して適切に光をあてることができる。即ち幼苗の時期は、苗の丈が低い。本実施形態では、上流側は屋根部材６の高さが低く、苗と照明手段２７の距離が近い。そのため苗に集中的に光を照射することができる。
その一方、苗が成長して丈が高くなる位置では屋根部材６の高さが高く、苗にまんべんなく光を照射することができる。
【００５５】
そして植物栽培ライン１の終端で植物保持具３０を取り出し、成長した植物を収穫するか、あるいは植物保持具３０を再度他の植物栽培ライン１に搬入して苗をより大きく成長させる。
即ち、植物栽培ライン１の始端に苗を植えつけた植物保持具３０を挿入し、照明手段２７を点灯して苗の葉に光を当て、苗の根から養液槽３の培養液を吸収させて苗を育てる。そして養液槽３に浮かぶ植物保持具３０を押して下流側へ流し、筒状空間２内をゆっくりと移動させる。
その間、苗は適度の温度や湿度に保たれた環境下におかれ、且つ照明手段２７から十分に光を受けて成長する。
そして植物保持具３０が一つの植物栽培ライン１の終端、あるいは複数の植物栽培ライン１を通過して終端に至った際には、苗は食用に供される程度に成長しており、植物保持具３０から収穫されて出荷される。
【００５６】
上記した実施形態では、植物栽培ライン１は、一つの養液槽に複数の植物保持具３０を浮かべ、植物保持具３０を流して下流側に移動させるものであったが本発明はこの構成に限定されるものではなく、複数の養液槽を備え、搬送手段によって養液槽を上流側から下流側に向かって順次移動させる構成のものであってもよい。
以下、この構成の植物栽培ライン５０について説明する。
植物栽培ライン５０は、図１０の様に複数の育苗ユニット５２が直列に接続されて構成されたものである。なお図１０では、作図の関係上、個々の育苗ユニット５２の全長が実際よりも短く図示されている。実際の育苗ユニット５２はより全長が長い。
【００５７】
育苗ユニット５２は、両端が開放され周面を覆うことが可能なケース５３を有している。本実施形態では、ケース５３が育成空間構成部材として機能し、ケース５３がつながって筒状空間６０が形成されている。
ケース５３は、図１１の様に円弧形状の屋根部５５と、底面部１２と、これらを繋ぐ縦壁状の側面部５７，５８を有した筒状部材である。
ケース５３は、３ｍ前後の長さを有している。ケース５３の幅は、１ｍ程度である。ケース５３の両端は開放されている。長手方向の一方の開口を導入開口５６と称し、他方を排出側開口５１と称する。
ケース５３の屋根部５５はステンレススチール等の錆びにくく、且つ熱伝導性に優れた素材で作られている。
屋根部５５の峰の部分には管３６が設けられており、管３６から放水して屋根部５５を冷却することができる。
【００５８】
ケース５３内には、図１１、図１２の様にトレイ設置台６１と、直線移動部材６２と、照明手段８２と、給排水設備６３、及び換気用空気攪拌手段７６が設けられている。
さらに育苗ユニット５２は、ケース５３内には前記した実施形態と同様に送風路形成部材６５が内蔵されている。
また本実施形態では、屋根部５５の内面に図示しない反射板が取り付けられている。
【００５９】
本実施形態では、トレイ設置台６１と、直線移動部材６２によって栽培トレイ（水耕栽培手段）３８の小型養液槽４０を上流側から下流側に向かって順次移動させる搬送手段７０が構成されている。
トレイ設置台６１は、栽培トレイ３８を載せた状態で、栽培トレイ３８を滑り動かすことができるものである。
本実施形態ではトレイ設置台６１の載置部１４に多数のコロ６６が設けられている。載置部１４には、固定側係合突出部６７が設けられている。固定側係合突出部６７は、全体がバネ鋼で作られている。固定側係合突出部６７は、一端がトレイ設置台６１の載置部１４に固定され他端側が載置部１４から外側に突出する。固定側係合突出部６７は他端側がトレイ設置台６１の載置部１４から突出した状態で傾斜姿勢となっている。固定側係合突出部６７は、垂直方向に外力を受けると、載置部１４内に沈み、外力が無くなると、再び他端側が載置部１４から外側に突出する。
【００６０】
直線移動部材６２は、角棒状の長尺体である。直線移動部材６２は２列に配されている。直線移動部材６２は、長さの長い押圧部材であるとも言える。
直線移動部材６２には移動側係合突出部６８が設けられている。移動側係合突出部６８は、前記した固定側係合突出部６７と同等の構造及び機能を有するものである。
【００６１】
給排水設備６３は、栽培トレイ３８に培養液を供給する供給側配管４７と、栽培トレイからオーバーフローした培養液を回収する回収側配管３２によって構成されている。
供給側配管４７は、一本の主管３３と、主管３３から分岐された複数の枝管３７によって構成されている。
回収側配管３２は、培養液回収用樋４６を有している。
【００６２】
筒状空間６０の底面部１２には、換気用空気攪拌手段７６が設けられている。換気用空気攪拌手段７６は、一種のファンであり、モータ７７と羽根車７８（回転羽根）によって構成されている。羽根車７８は、モータ７７の出力軸に固定されており、モータ７７が回転することによって羽根車７８が回転する。
本実施形態では、換気用空気攪拌手段７６のモータ７７は、筒状空間６０の外部に設置されており、羽根車７８は筒状空間６０内であって底面部１２の近傍にある。
従ってモータ７７を回転することによって底面部１２の近傍で羽根車７８が回転する。
本実施形態では、換気用空気攪拌手段７６は、図１２の様に一定の間隔をあけて複数設置されている。
【００６３】
また筒状空間６０の底面部１２には、図１２の様に導風路形成部材８３が設置されている。導風路形成部材８３は、高さの低い壁である。
【００６４】
本実施形態で採用する育苗ユニット５２においても、ケース５３内に送風路形成部材６５が内蔵されている。送風路形成部材６５は、樹脂で作られた本管８０と、本管８０の周囲に設けられた多数の開口８４及び本管８０に内蔵された小型送風機（図示せず）によって構成されている。
育苗ユニット５２は直線的に接続されるが、その際に隣接する本管８０も接続される。従って植物栽培ライン５０の筒状空間６０内に、送風路形成部材６５の本管８０が連通する。
本管８０は、前記した実施形態と同様に育成空間空調手段２２に接続されている。そのため育成空間空調手段２２で温度等が調節された空気が、送風路形成部材６５を経由して筒状空間６０内の各部に吹き込まれる。なお筒状空間６０には図示しない戻り側ダクトが接続されており、筒状空間６０の空気が育成空間空調手段２２に戻されて循環する。
【００６５】
次に栽培トレイ３８について説明する。栽培トレイ３８は、水耕栽培手段として機能するものであり、図１４の様に平面視が四角形の小型養液槽４０と、前記した植物保持具３０によって構成されている。
小型養液槽４０はステンレススチール等の金属で作られたものであり、小型であって水が漏らない構造であって上面が開放されたトレーである。本実施形態では、小型養液槽４０にはオーバーフロー管部９１ａ，９１ｂが設けられている。
【００６６】
次に、育苗ユニット５２を構成する各部材の位置関係及び栽培トレイ３８の位置関係について説明する。
図１１に示すようにトレイ設置台６１及び直線移動部材６２は、ケース５３内の底の位置に配置されている。また前記した様に、２列の直線移動部材６２はトレイ設置台６１の内側部分にある。
【００６７】
植物栽培ライン５０は、複数の育苗ユニット５２を直列に接続して構成されたものである。複数の育苗ユニット５２は同じ形状、構造であり、一方の育苗ユニット５２のケース５３の排出側開口５１に、育苗ユニット５２のケース５３の導入開口５６が接続されている。
【００６８】
また隣接するケース５３内の直線移動部材６２同士が接続される。その結果、ケース５３内の直線移動部材６２が接続され、複数のケース５３内の直線移動部材６２が図１５の様に一連に繋がる。
そして外部に設置された図示しないモータを起動することによって直線移動部材６２をケース５３の長手方向（両端開口を結ぶ方向）に走行させることができる。
本実施形態では、図示しないモータによってケース５３内の直線移動部材６２が直線移動する。
【００６９】
また一つのケース５３内のトレイ設置台６１の長手方向端部と、隣接するケース５３内のトレイ設置台６１の長手方向端部は近接した位置にあり、複数のケース５３内のトレイ設置台６１の載置部１４が一連のトレイ走行面を構成する。
【００７０】
複数の育苗ユニット５２のケース５３が連結された結果、その内部に一連の筒状空間６０が形成される。植物栽培ライン５０の両端には何らかの扉や蓋が設置される。そのため筒状空間６０はほぼ閉塞空間となるが、筒状空間の密閉度はさほど高くはない。
【００７１】
栽培トレイ３８は、トレイ設置台６１に載置されるが、前記した給排水設備６３の枝管３７は、栽培トレイ３８の上に開口する。そのため枝管３７から培養液を排出すると、排出された培養液は全て栽培トレイ３８の中に入る。
【００７２】
次に植物栽培ライン５０の機能について説明する。
植物栽培ライン５０では、一連の筒状空間６０の一端側（上流側端部）から栽培トレイ３８を挿入する。なお栽培トレイ３８には予めレタス等の食用植物の苗が植えつけられている。本実施形態では、一つの育苗ユニット５２のトレイ設置台６１に４台の栽培トレイ３８が設置される。
【００７３】
栽培トレイ３８は、図１３の様にケース５３内のトレイ設置台６１に載置される。
そして給排水設備６３の供給側配管４７によって栽培トレイ３８に培養液が供給され、オーバーフローした培養液は、培養液回収用樋４６に回収される。従って栽培トレイ３８内は、常に培養液で満たされる。
また照明手段８２によって苗の成長に要する光が供給される。本実施形態では、ケース５３の内面には、反射性の塗料が塗布されているから、ケース５３の内壁に当たった光も反射して苗に当たる。
さらに育成空間空調手段２２によって、筒状空間６０内の温度、湿度及び二酸化炭素濃度が調節される。
本実施形態においても、筒状空間６０の外部たる機器設置室１１０は、外部（構造物１０１内）から遮蔽されており、且つ機器設置室１１０は室内空調手段１１３によって空調されているから、筒状空間６０の外部環境（機器設置室１１０内の環境）は、ある程度安定している。そのため筒状空間６０は、植物栽培装置１００が設置された位置の周囲環境（構造物１０１内の環境）の影響を受けにくい。
さらに筒状空間６０内は育成空間空調手段２２によって空調されているから、筒状空間６０内は、植物の成長に適した温度や湿度に保たれる。
【００７４】
筒状空間６０内に設置された栽培トレイ３８は、搬送手段７０によって一定時間ごとに下流側に移動させられる。例えば２４時間ごとに、搬送手段７０の直線移動部材６２を動作させ、栽培トレイ３８を排出側開口５１側に隣接する育苗ユニット５２に移動させる。
【００７５】
次に栽培トレイ３８を移動させる際の動作について図１５を参照しつつ説明する。
栽培トレイ３８は、前記した様にトレイ設置台６１に載置されており、トレイ設置台６１の載置部１４上を滑り動くことができる。
またトレイ設置台６１の載置部１４の内側には、搬送手段７０の２列の直線移動部材６２があり、栽培トレイ３８の辺部は、直線移動部材６２の上に被さっている。
この状態で、直線移動部材６２を図１５（ａ）の矢印の方向に動作させる。
【００７６】
ここで直線移動部材６２の移動側係合突出部６８は、図１５（ａ）の様に突出し、斜め姿勢となっている。また栽培トレイ３８の底は、図１４の様に凹凸形状である。
そのため、直線移動部材６２の移動側係合突出部６８を、導入開口５６側から排出側開口５１側に移動させると、移動側係合突出部６８の突端部が凹溝部４３の縦壁部分（係合部４５）と係合し、図１５（ｂ）の様に栽培トレイ３８を、導入開口５６側から排出側開口５１側に押し動かす。
その結果、各育苗ユニット５２内において、各栽培トレイ３８が下流側に向かって移動する。そして各育苗ユニット５２の最も下流側に位置する栽培トレイ３８が隣接する育苗ユニット５２に入る。
即ち栽培トレイ３８は当初の育苗ユニット５２のトレイ設置台６１から下流側に隣接した育苗ユニット５２のトレイ設置台６１に乗り移り、育苗ユニット５２を跨いで移動する。即ち本実施形態では、各ケース５３内の直線移動部材６２が結合され、全ての直線移動部材６２を動作させることによって栽培トレイ３８が育苗ユニット５２を跨いで下流側に移動する。
本実施形態では、各育苗ユニット５２内の栽培トレイ３８を搬送手段７０の直線移動部材６２によって順次先の育苗ユニット５２に送り出す。育苗ユニット５２には上流側から新たな栽培トレイ３８が搬入される。
【００７７】
その後、図１４（ｃ）の様に、直線移動部材６２を逆方向に移動し、移動側係合突出部６８を排出側開口５１側から導入開口５６側に移動させる。
その際に、直線移動部材６２の移動側係合突出部６８が、栽培トレイ３８の底と衝突するが、移動側係合突出部６８は、傾斜姿勢であって傾斜の下側から栽培トレイ３８と当接する。移動側係合突出部６８の傾斜面が栽培トレイ３８と当接するから、傾斜の垂直方向分力によって移動側係合突出部６８が下方向に押し下げられる。ここで、移動側係合突出部６８は、本体部分から外側に突出する様に付勢されているが、垂直方向に外力を受けると、直線移動部材６２の本体部に沈む。
そのため図１４（ｃ）（ｄ）の様に移動側係合突出部６８は、栽培トレイ３８の凸部の下を通過し、新たな栽培トレイ３８と移動側係合突出部６８は、図１４（ａ）の関係に戻る。
【００７８】
植物栽培ライン５０では、１０日から３０日程度の日数をかけて栽培トレイ３８を始端から終端に送る。そして終端で栽培トレイ３８を取り出し、成長した植物を収穫する。
【００７９】
本実施形態で採用する植物栽培ライン５０は、前記した様に筒状空間６０の底面部１２に、換気用空気攪拌手段７６が設けられている。以下、換気用空気攪拌手段７６の機能について説明する。
植物栽培ライン５０は、狭い筒状空間６０内で多数のＬＥＤ等が点灯されるので、筒状空間６０内の気温が上昇傾向となる。
本実施形態の植物栽培ライン５０では、筒状空間６０内の気温上昇を抑制する方策として、換気用空気攪拌手段７６が設けられている。また筒状空間６０内の温度ばらつきを抑制する方策として、送風路形成部材６５が設けられている。
【００８０】
換気用空気攪拌手段７６は、栽培トレイ３８の底面８７と、筒状空間６０の底面部１２の間の隙間８６にある。
ここで、本実施形態では、栽培トレイ３８内の培養液は、培養液タンク２０７内の温度調整手段で冷却されており、一定の温度に保たれている。少なくとも培養液の温度は、筒状空間６０内の平均気温よりも低い。
【００８１】
加えて、栽培トレイ３８は、ステンレススチールで作られており、栽培トレイ３８の冷熱は栽培トレイ３８の底面８７に伝導されやすい。
また栽培トレイ３８の底面８７の面積は、極めて大きい。
そのため筒状空間６０内であって、栽培トレイ３８の底面８７と、筒状空間６０の底面部１２の間においては、空気と栽培トレイ３８との接触面積が広く、両者の隙間８６内の空気は、栽培トレイ３８内の培養液と熱交換され、温度が低下する。
【００８２】
本実施形態では、栽培トレイ３８の底面８７と、筒状空間６０の底面部１２の間に換気用空気攪拌手段７６の羽根車７８がある。そのため換気用空気攪拌手段７６のモータ７７を起動すると、栽培トレイ３８の下で羽根車７８が回転し、隙間８６内の空気を攪拌し、付勢して、隙間８６から外部に吐き出す。
また隙間８６内には外部から新たな空気が導入される。
特に本実施形態では、導風路形成部材８３が設置されており、隙間８６内に導風路形成部材８３によって一連の導風路が形成されている。
【００８３】
そのため換気用空気攪拌手段７６を起動することにより、隙間８６内の空気が換気され、常に置換される。即ち、ＬＥＤ等で加熱され、昇温した空気が、換気用空気攪拌手段７６及び導風路形成部材８３の作用によって強制的に栽培トレイ３８の底面８７と筒状空間６０の間の狭い隙間８６に導入され、低温の栽培トレイ３８の底面８７と接して空気の温度が低下される。
そして冷却された空気は、換気用空気攪拌手段７６及び導風路形成部材８３の作用によって強制的に隙間８６から排出され、栽培トレイ３８の上面に回り込む。即ち苗の葉の部分に冷風が循環する。
【００８４】
さらに栽培トレイ３８の上部には、送風路形成部材６５があり、送風路形成部材６５から吹き出される空気によって筒状空間６０内の空気が攪拌され、栽培トレイ３８の上部空間の温度バラツキが解消される。
即ち送風路形成部材６５は、筒状空間６０の軸方向に配置されているが、中途部分に図示しない小型送風機が内蔵されている。
そして本管８０には多数の開口８４が設けられている。そのため小型送風機を起動すると、小型送風機を中心として一方側の開口８４から筒状空間６０内の空気が本管８０に導入され。他方の開口８４から吐出される。その結果、筒状空間６０内の空気が攪拌される。
【００８５】
本実施形態の植物栽培ライン５０では、換気用空気攪拌手段７６によって、栽培トレイ３８の上部側の高温の空気が、強制的に栽培トレイ３８の底面８７側に導入され、培養液と熱交換して冷却され、その低温空気が栽培トレイ３８の上部側に戻される。そして栽培トレイ３８の上部側では、送風路形成部材６５によって空気が攪拌され、苗の周囲の温度ばらつきが解消される。そのため筒状空間６０の苗が生育する領域は、一定の温度に保たれ、苗は順調に生育する。
【００８６】
以上説明した実施形態では、６個の植物栽培ライン１，５０を３段、２列に分かれて外郭構成部材１０２内の機器設置室１１０に設置したが、植物栽培ライン１，５０の個数や配列は任意である。
例えば２段以下や４段以上に植物栽培ライン１，５０を積み重ねてもよく、植物栽培ライン１，５０を１列又は３列以上に並べてもよい。
植物栽培ライン１，５０を複数列に並べる場合には、隣接する植物栽培ライン１，５０の間にスペース空間２６を設けることが望ましく、室内機１１５の空気吐出口１１８は、スペース空間２６の上に設けることが望ましい。
このレイアウトによると、室内機１１５の空気吐出口１１８から吹き下ろされた空気が、スペース空間２６を下り、左右の植物栽培ライン１，５０に流れ込む。そのため機器設置室１１０内の温度や湿度が均一化する。
【００８７】
以上説明した植物栽培システム２００は、既設の構造物１０１と、構造物１０１内に設置される植物栽培装置１００の組み合わせによって構成されている。そして植物栽培装置１００は、断熱材で作られていて内部に機器設置室１１０を有する外郭構成部材１０２と、機器設置室１１０に設置された複数の植物栽培ライン１，５０によって構成されている。さらに植物栽培ライン１，５０は、植物の育成空間となる略密閉された筒状空間２，６０を有している。
【００８８】
この様に植物栽培システム２００は、最も外側に既設の構造物１０１で囲まれた空間があり、その中に外郭構成部材１０２で囲まれた空間たる機器設置室１１０があり、さらにその中に育成空間空調手段で囲まれた筒状空間２，６０がある。
即ち植物栽培システム２００では、苗は、外界に対して、構造物１０１と、外郭構成部材１０２と、育成空間空調手段によって三重に囲まれた空間内で育成される。
そして上記した実施形態の植物栽培システム２００では、外郭構成部材１０２で囲まれた機器設置室１１０内を空調する室内空調手段１１３と、育成空間空調手段で囲まれた筒状空間２内を空調する育成空間空調手段２２を有し、構造物１０１の全体を空調する空調手段は無い。
【００８９】
仮に構造物１０１内を空調する構造物内空調手段８８を有するならば、機器設置室１１０を空調する室内空調手段１１３又は筒状空間２内を空調する育成空間空調手段２２として簡便な空調機器を利用することができる場合もあり、さらに室内空調手段１１３又は育成空間空調手段２２のいずれか一方を省略することができる場合もある。
【００９０】
図１６、図１７に示す植物栽培システム２０１は、構造物１０１内を空調する空調手段８８と、筒状空間２内を空調する育成空間空調手段２２を有し、機器設置室１１０を空調する室内空調手段１１３は無い。
植物栽培システム２０１で採用する植物栽培装置１２０は、内部に機器設置室１１０を有する外郭構成部材１０２と、機器設置室１１０に設置された複数の植物栽培ライン１，５０によって構成され、植物栽培ライン１は、筒状空間２，６０を有しており、筒状空間２，６０内を空調する育成空間空調手段２２を有しているが、機器設置室１１０を空調する室内空調手段１１３は無い。
【００９１】
図１８に示す植物栽培システム２０２は、構造物１０１内を空調する空調手段８８と、機器設置室１１０を空調する室内空調手段１１３を有し、筒状空間２内を空調する育成空間空調手段２２は無い。
植物栽培システム２０２で採用する植物栽培装置１２１は、内部に機器設置室１１０を有する外郭構成部材１０２と、機器設置室１１０に設置された複数の植物栽培ライン１，５０によって構成され、植物栽培ライン１は、筒状空間２，６０を有しており、機器設置室１１０を空調する室内空調手段１１３を有しているが、筒状空間２，６０内を空調する育成空間空調手段２２は無い。
【符号の説明】
【００９２】
１，５０  植物栽培ライン
２，６０  筒状空間
３  養液槽
５  水耕栽培手段
２２  育成空間空調手段
２６  スペース空間
２７，８２  照明手段
３０  植物保持具
３８  栽培トレイ
４０  小型養液槽
５２  育苗ユニット
５３  ケース
６１  トレイ設置台
６２  直線移動部材
６５  送風路形成部材
１００，１２０，１２１  植物栽培装置
１０１  構造物
１０２  外郭構成部材
１０３  骨格形成部材
１０５  断熱パネル
１１０  機器設置室
１１３  室内空調手段
１１８  空気吐出口
２００，２０１，２０２  植物栽培システム
【図１】
2019010077.tif 000003
【図２】
2019010077.tif 000004
【図３】
2019010077.tif 000005
【図４】
2019010077.tif 000006
【図５】
2019010077.tif 000007
【図６】
2019010077.tif 000008
【図７】
2019010077.tif 000009
【図８】
2019010077.tif 000010
【図９】
2019010077.tif 000011
【図１０】
2019010077.tif 000012
【図１１】
2019010077.tif 000013
【図１２】
2019010077.tif 000014
【図１３】
2019010077.tif 000015
【図１４】
2019010077.tif 000016
【図１５】
2019010077.tif 000017
【図１６】
2019010077.tif 000018
【図１７】
2019010077.tif 000019
【図１８】
2019010077.tif 000020